(57)【要約】【解決手段】  複数のタップ値に対応する複数の変圧比のうちの一の変圧比が設定される変圧器における、前記複数のタップ値のうちの一のタップ値と対応付けられている前記変圧比の第１範囲を示す第１情報が記憶されている第１記憶装置と、前記複数のタップ値のうちの一のタップ値と対応付けられていない前記変圧比の第２範囲を示す第２情報が記憶されている第２記憶装置と、第１測定装置によって測定された前記変圧器の一次側の電圧と、第２測定装置によって測定された前記変圧器の二次側の電圧と、前記第１記憶装置に記憶されている前記第１情報と、前記第２記憶装置に記憶されている前記第２情報とに基づいて、前記変圧器のタップ値を推定する推定装置と、を備える。【選択図】  図４
2015136252.tif 000002
【特許請求の範囲】
【請求項１】
複数のタップ値に対応する複数の変圧比のうちの一の変圧比が設定される変圧器における、前記複数のタップ値のうちの一のタップ値と対応付けられている前記変圧比の第１範囲を示す第１情報が記憶されている第１記憶装置と、
前記複数のタップ値のうちの一のタップ値と対応付けられていない前記変圧比の第２範囲を示す第２情報が記憶されている第２記憶装置と、
第１測定装置によって測定された前記変圧器の一次側の電圧と、第２測定装置によって測定された前記変圧器の二次側の電圧と、前記第１記憶装置に記憶されている前記第１情報と、前記第２記憶装置に記憶されている前記第２情報とに基づいて、前記変圧器のタップ値を推定する推定装置と、
を備えたことを特徴とする変圧器のタップ値推定装置。
【請求項２】
複数のタップ値に対応する複数の変圧比のうちの一の変圧比が設定される変圧器の一次側の電圧を測定する第１測定装置と、
前記変圧器の二次側の電圧を測定する第２測定装置と、
前記複数のタップ値のうちの一のタップ値と対応付けられている前記変圧比の第１範囲を示す第１情報が記憶されている第１記憶装置と、
前記複数のタップ値のうちの一のタップ値と対応付けられていない前記変圧比の第２範囲を示す第２情報が記憶されている第２記憶装置と、
前記第１測定装置によって測定された前記変圧器の一次側の電圧と、前記第２測定装置によって測定された前記変圧器の二次側の電圧と、前記第１記憶装置に記憶されている前記第１情報と、前記第２記憶装置に記憶されている前記第２情報とに基づいて、前記変圧器のタップ値を推定する推定装置と、
を備えたことを特徴とする変圧器のタップ値推定システム。
【請求項３】
複数のタップ値に対応する複数の変圧比のうちの一の変圧比が設定される変圧器における、前記複数のタップ値のうちの一のタップ値と対応付けられている前記変圧比の第１範囲を示し第１記憶装置に記憶されている第１情報と、前記複数のタップ値のうちの一のタップ値と対応付けられていない前記変圧比の第２範囲を示し第２記憶装置に記憶されている第２情報と、第１測定装置によって測定された前記変圧器の一次側の電圧と、第２測定装置によって測定された前記変圧器の二次側の電圧とに基づいて、前記変圧器のタップ値を推定するステップ、を含む
ことを特徴とする変圧器のタップ値推定方法。
【請求項４】
複数のタップ値に対応する複数の変圧比のうちの一の変圧比が設定される変圧器のタップ値推定装置に、
前記複数のタップ値のうちの一のタップ値と対応付けられている前記変圧比の第１範囲を示し第１記憶装置に記憶されている第１情報と、前記複数のタップ値のうちの一のタップ値と対応付けられていない前記変圧比の第２範囲を示し第２記憶装置に記憶されている第２情報と、第１測定装置によって測定された前記変圧器の一次側の電圧と、第２測定装置によって測定された前記変圧器の二次側の電圧とに基づいて、前記変圧器のタップ値を推定する機能
を実現させるプログラム。
【発明の詳細な説明】
【技術分野】
【０００１】
本発明は、変圧器のタップ値推定装置、変圧器のタップ値推定システム、変圧器のタップ値推定方法、プログラムに関する。
【背景技術】
【０００２】
例えば、複数のタップ値に対応する複数の変圧比のうちの一の変圧比が設定されて動作する変圧器が知られている（例えば特許文献１）。
【先行技術文献】
【特許文献】
【０００３】
【特許文献１】特開２０１３―１４６１３５号公報
【発明の概要】
【発明が解決しようとする課題】
【０００４】
一般に、特許文献１の変圧器も含め変圧器のタップ値を推定する場合、変圧器の変圧比を制御するための制御信号を受信し、当該受信した制御信号に基づいてタップ値を推定することがある。例えば、変圧器が設けられている電気所から離れている等のために制御信号を受信できない場合、変圧器のタップ位置を推定できなくなる虞がある。
【課題を解決するための手段】
【０００５】
前述した課題を解決する主たる本発明は、複数のタップ値に対応する複数の変圧比のうちの一の変圧比が設定される変圧器における、前記複数のタップ値のうちの一のタップ値と対応付けられている前記変圧比の第１範囲を示す第１情報が記憶されている第１記憶装置と、前記複数のタップ値のうちの一のタップ値と対応付けられていない前記変圧比の第２範囲を示す第２情報が記憶されている第２記憶装置と、第１測定装置によって測定された前記変圧器の一次側の電圧と、第２測定装置によって測定された前記変圧器の二次側の電圧と、前記第１記憶装置に記憶されている前記第１情報と、前記第２記憶装置に記憶されている前記第２情報とに基づいて、前記変圧器のタップ値を推定する推定装置と、を備えたことを特徴とする変圧器のタップ値推定装置である。
【０００６】
本発明の他の特徴については、添付図面及び本明細書の記載により明らかとなる。
【発明の効果】
【０００７】
本発明によれば、変圧器のタップ値を推定することができる。
【図面の簡単な説明】
【０００８】
【図１】本発明の実施形態における配電系統を示す図である。
【図２】本発明の実施形態における制御装置のハードを示すブロック図である。
【図３】本発明の実施形態における制御装置を示すブロック図である。
【図４】本発明の実施形態におけるタップ比情報を示す図である。
【図５】本発明の実施形態における推定タップ値を示す図である。
【図６】本発明の実施形態におけるタップ比範囲と推定タップ値との関係を示す図である。
【図７】本発明の実施形態における制御装置がタップ値を推定する動作を示すフローチャートである。
【図８】本発明の実施形態における連系遮断器を制御する動作を示すフローチャートである。
【発明を実施するための形態】
【０００９】
本明細書および添付図面の記載により、少なくとも以下の事項が明らかとなる。
【００１０】
＝＝＝配電系統＝＝＝
以下、図１を参照して、本実施形態における配電系統について説明する。図１は、本実施形態における配電系統を示す図である。
【００１１】
配電系統１００は、母線Ｌ１０、Ｌ２０、配電線Ｌ１乃至Ｌ３、変圧器３１０、遮断器１１乃至１４、ＳＶＲ（Step Voltage Regulator）２１、２２（変圧器）、測定装置Ｍ１乃至Ｍ３、負荷Ｒ１、Ｒ２、制御装置３（変圧器のタップ値推定装置）、発電装置Ｇ１、連系遮断器ＳＷ１を有する。尚、測定装置Ｍ１が第１測定装置に相当し、測定装置Ｍ２、Ｍ３が第２測定装置に相当する。測定装置Ｍ１乃至Ｍ３、制御装置３が変圧器のタップ値推定システムに相当する。
【００１２】
変圧器３１０は、母線Ｌ１０に供給されている例えば６６ｋＶの電圧を６．６ｋＶに降圧して、当該降圧された６．６ｋＶの電圧を母線Ｌ２０に供給する。変圧器３１０の一次側は母線Ｌ１０に接続され、変圧器３１０の二次側は遮断器１４を介して母線Ｌ２０に接続されている。
【００１３】
母線Ｌ２０には、配電線Ｌ１乃至Ｌ３夫々の一端が接続されている。配電線Ｌ１には、遮断器１１、ＳＶＲ２１が接続されている。配電線Ｌ２には、遮断器１２、ＳＶＲ２２が接続されている。配電線Ｌ３には、遮断器１３、発電装置Ｇ１が接続されている。
【００１４】
ＳＶＲ２１は、複数（例えば９個）の変圧比を有しており、ＳＶＲ２１に対して設定されたタップ値に対応する変圧比で一次側の電圧を変圧して二次側に供給する。尚、一次側とは、配電線Ｌ１におけるＳＶＲ２１よりも上流側としての母線Ｌ２０側である。二次側とは、配電線Ｌ１におけるＳＶＲ２１よりも下流側としての負荷Ｒ１側である。尚、ＳＶＲ２２の構成は、ＳＶＲ２１の構成と同様であるので、その説明については省略する。
【００１５】
負荷Ｒ１、Ｒ２は夫々、配電線Ｌ１、Ｌ２に接続される電力負荷である。
【００１６】
連系遮断器ＳＷ１は、配電線Ｌ１、Ｌ２の間において開閉する。例えば、連系遮断器ＳＷ１が閉じた場合、ＳＶＲ２１、２２が配電線Ｌ１、Ｌ２、連系遮断器ＳＷ１、母線Ｌ２０を介してループ状に接続されることになる。又、例えば、連系遮断器ＳＷ１が開いた場合、ＳＶＲ２１、２２夫々の二次側が電気的に遮断される。
【００１７】
測定装置Ｍ１は、母線Ｌ２０の電圧を測定し、測定結果を示す測定情報を出力する。測定装置Ｍ２は、配電線Ｌ１におけるＳＶＲ２１の二次側の電圧を測定し、測定結果を示す測定情報を出力する。測定装置Ｍ３は、配電線Ｌ２におけるＳＶＲ２２の二次側の電圧を測定し、測定結果を示す測定情報を出力する。
【００１８】
発電装置Ｇ１は、発電電力を出力する。更に、発電装置Ｇ１は、発電装置Ｇ１の自動無効電力調整装置を用いて調整された無効電力を出力する。
【００１９】
制御装置３は、ＳＶＲ２１、２２のタップ値を推定して、当該推定結果に基づいて連系遮断器ＳＷ１を制御する。尚、制御装置３がＳＶＲ２１のタップ値を推定する構成と、制御装置３がＳＶＲ２２のタップ値を推定する構成とは同様である。
【００２０】
＝＝＝循環電流＝＝＝
以下、図１を参照して、本実施形態における循環電流について説明する。
【００２１】
循環電流は、ＳＶＲ２１、２２に対して異なるタップ値が設定されており、ＳＶＲ２１、２２が夫々異なる変圧比で変圧することに基づいて発生する電流である。循環電流は、ＳＶＲ２１、２２に対して異なるタップ値が設定せれている際に、連系遮断器ＳＷ１を閉じたときに例えば、ＳＶＲ２１、連系遮断器ＳＷ１を介してＳＶＲ２２の二次側に供給される。この循環電流により、例えば、ＳＶＲ２２は焼損する虞があるので、連系遮断器ＳＷ１を閉じるとき、ＳＶＲ２１、２２夫々のタップ値同士を同じタップ値とする必要がある。
【００２２】
＝＝＝制御装置＝＝＝
以下、図２及び図３を参照して、本実施形態における制御装置について説明する。図２は、本実施形態における制御装置のハードを示すブロック図である。図３は、本実施形態における制御装置を示すブロック図である。
【００２３】
制御装置３は、ＣＰＵ（Central Processing Unit）３１、通信装置３２、記憶装置３３（第１記憶装置、第２記憶装置）、表示装置３４、入力装置３５を有する。ＣＰＵ３１は、記憶装置３３に記憶されているプログラムを実行することにより制御装置３の各種機能を実現し、制御装置３を統括制御する。記憶装置３３には、前述のプログラム、各種情報が記憶されている。表示装置３４は、制御装置３の情報を表示するディスプレイである。入力装置３５は、制御装置３に対して情報を入力するための例えばキーボード、マウス等である。通信装置３２は、ネットワークＮ１を介して測定装置Ｍ１乃至Ｍ３、連系遮断器ＳＷ１との間で通信を行う。
【００２４】
制御装置３は、更に、タップ比演算部３６、タップ値判断部３７、制御部３８（「制御装置３の各種機能」とも称する）を有する。尚、制御装置３の各種機能は、記憶装置３３に記憶されているプログラムのＣＰＵ３１による実行により実現される。
【００２５】
タップ比演算部３６は、所定の演算式に基づいてタップ比を演算する。
【００２６】
タップ値判断部３７は、タップ比演算部３６の演算結果に基づいて、タップ値を推定する。制御部３８は、タップ値判断部３７の判断結果に基づいて、配電系統１００を制御する。
【００２７】
＝＝＝タップ比情報＝＝＝
以下、図４を参照して、本実施形態におけるタップ比情報について説明する。図４は、本実施形態におけるタップ比情報を示す図である。尚、図４においては、説明の便宜上、小数点第３位まで示されている。
【００２８】
タップ比情報Ｄ１は、各種情報に含まれており、記憶装置３３に記憶されている。タップ比情報Ｄ１は、ＳＶＲ２１、２２のタップ値を推定するのに用いられる情報であり、ＳＶＲ２１、２２の仕様等に基づいて設定されている。尚、タップ比情報Ｄ１は、例えば、入力装置３５を介して入力されることとしてもよい。タップ比情報Ｄ１では、少なくともタップ比範囲Ｔａ３と推定タップ値Ｔ２とが対応付けられている。
【００２９】
タップ値Ｔ１、１次タップ電圧Ｖ１、２次タップ電圧Ｖ２、タップ比Ｔａ１、中間タップ比Ｔａ２は、ＳＶＲ２１、２２の仕様等に基づいて設定されている。
【００３０】
タップ比情報Ｄ１においては、例えば、ＳＶＲ２１のタップ値Ｔ１が９に設定された場合のタップ比Ｔａ１が０．９０９であること等を示している。タップ比Ｔａ１が０．９０９であることは、例えば、ＳＶＲ２１における一次側の電圧（１次タップ電圧Ｖ１）が略６０００Ｖのとき、ＳＶＲ２１における二次側の電圧（２次タップ電圧Ｖ２）が略６６００Ｖとなることを示している。つまり、タップ比Ｔａ１は、１次タップ電圧Ｖ１と２次タップ電圧Ｖ２との比であり、ＳＶＲ２１、２２の変圧比を示している。尚、中間タップ比Ｔａ２は、連続する２つのタップ値Ｔ１夫々に対応するタップ比Ｔａ１の中央値を示している。
【００３１】
タップ比範囲Ｔａ３は、タップ比演算部３６によって算出されたタップ比（「算出タップ比」とも称する）と比較される。推定タップ値Ｔ２は、ＳＶＲ２１、２２のタップ値の推定値を示している。各タップ比範囲Ｔａ３は、タップ比Ｔａ１及び中間タップ比Ｔａ２のうちの一方のみを含むように設定されている。タップ比範囲Ｔａ３におけるタップ比Ｔａ１を含む範囲（例えば０．９９２から１．００８）（第１範囲）には、１乃至９のいずれか一つの推定タップ値（例えば５）が対応付けられている。尚、タップ比範囲Ｔａ３としての０．９９２から１．００８は、この範囲に含まれるタップ比Ｔａ１（１．０００）に対応するタップ値Ｔ１（５）と同様な５が推定タップ値Ｔ２として対応付けられている。タップ比範囲Ｔａ３における中間タップ比Ｔａ２を含む範囲（例えば１．００９から１．０１３）（第２範囲）には、１乃至９のうちの連続する二つの推定タップ値（例えば５、４）が対応付けられている。
【００３２】
例えば、タップ比範囲Ｔａ３における０．９９２から１．００８までの範囲は、推定タップ値として５が対応付けられている。つまり、この範囲は、ＳＶＲ２１のタップ値のうちの一のタップ値と対応付けられている範囲である。又、例えば、タップ比範囲Ｔａ３における１．００９から１．０１３までの範囲は、推定タップ値として５または４と対応付けられている。尚、推定タップ値として５または４と対応付けられるとは、推定タップ値として１乃至９のいずれか一つと対応付けられているわけではなく、推定タップ値が確定しないことを示している。つまり、この範囲は、ＳＶＲ２１のタップ値のうちの一のタップ値と対応付けられていない範囲である。
【００３３】
＝＝＝タップ比演算部＝＝＝
以下、図１及び図３を参照して、本実施形態におけるタップ比演算部について説明する。
【００３４】
タップ比演算部３６がＳＶＲ２１、２２のタップ比を演算する構成は同様であるので、タップ比演算部３６がＳＶＲ２１のタップ比を演算する構成について説明する。
【００３５】
タップ比演算部３６は、所定の演算式としての式（１）に基づいてタップ比を演算する。
【００３６】
［数１］
タップ比＝（一次側電圧×（１−無効電力×ＳＶＲの％Ｘ））／二次側電圧・・・（１）
尚、式（１）は、電圧降下法に基づく演算式である。式（１）の一次側電圧は、ＳＶＲ２１の一次側電圧を示しており、例えば、測定装置Ｍ１から受信した測定情報が示す母線Ｌ２０の電圧値が入力される。式（１）の二次側電圧は、ＳＶＲ２１の二次側電圧を示しており、例えば、測定装置Ｍ２から受信した測定情報が示す配電線Ｌ１におけるＳＶＲ２１の二次側の電圧値が入力される。式（１）のＳＶＲの％Ｘは、ＳＶＲ２１のパーセントインピーダンスを示しており、ＳＶＲ２１の仕様に基づいて入力される。尚、算出タップ比は小数点第３位まで求められることとする。
【００３７】
式（１）の無効電力は、配電線Ｌ１における無効電力を示している。この無効電力は、例えば、変圧器３１０における日報値と発電機Ｇ１から出力される無効電力との差分値であることとしてもよい。尚、変圧器３１０における日報値とは、変圧器３１０における無効電力の値を示している。
【００３８】
又、式（１）の無効電力については、例えば、配電線Ｌ１に対して無効電力測定装置を設けて、当該無効電力装置によって測定された配電線Ｌ１の無効電力の値であることとしてもよい。尚、無効電力測定装置と制御装置３とが通信可能に接続されており、配電線Ｌ１の無効電力を示す情報が無効電力測定装置から制御装置３に送信されることとしてもよい。
【００３９】
又、式（１）の無効電力については、配電線Ｌ１の力率実測データ及び配電線Ｌ１の電力を示すデータ等に基づいて、タップ比演算部３６が算出することとしてもよい。尚、測定装置Ｍ２が、更に配電線Ｌ１における有効電力及び力率を測定することとする。そして、力率実測データ、配電線Ｌ１の電力を示すデータは夫々、測定装置Ｍ２によって測定された力率及び有効電力を示すこととする。
【００４０】
尚、式（１）における「（１−無効電力×ＳＶＲの％Ｘ）」は、無効電力による電圧変動率を示している。
【００４１】
＝＝＝タップ値判断部＝＝＝
以下、図３乃至図６を参照して、本実施形態におけるタップ比演算部について説明する。図５は、本実施形態における推定タップ値を示す図である。図５における確定/未確定については、図７のＳ２における推定タップ値の確定/未確定に対応している。図６は、本実施形態におけるタップ比範囲と推定タップ値との関係を示す図である。
【００４２】
タップ値判断部３７は、タップ比情報Ｄ１に示されているタップ比範囲Ｔａ３のうちの、算出タップ比が含まれる範囲を選択する。タップ値判断部３７は、当該選択されたタップ比範囲Ｔａ３に対応する推定タップ値Ｔ２を推定タップ値と判断する。
【００４３】
例えば、算出タップ比が０．９９２と１．００８との間の値（図６の算出タップ比Ｔｍ１）である場合、タップ値判断部３７は、推定タップ値を５と判断する。このとき、推定タップ値は５に確定することになる。又、例えば、算出タップ比が１．００９と１．０１３との間の値（図６の算出タップ比Ｔｍ２）である場合、タップ値判断部３７は、推定タップ値を５または４と判断する。このとき、推定タップ値は確定しないことになる。
【００４４】
＝＝＝制御部＝＝＝
以下、図１及び図３を参照して、本実施形態における制御部について説明する。
【００４５】
制御部３８は、タップ値判断部３７の判断結果に基づいて、配電系統１００を制御する。
【００４６】
タップ値判断部３７の判断結果が確定しない場合、制御部３８は、ＳＶＲ２１のタップ値を変化させたり、発電装置Ｇ１から出力される無効電力を調整したりする。尚、ＳＶＲ２１のタップ値を変化させるとは、ＳＶＲ２１のタップ値を５から６に変更したり、５から４に変更したりすることと等を示す。制御部３８は、目標送出電圧の範囲内で、ＳＶＲ２１のタップ値を変化させたり、発電装置Ｇ１から出力される無効電力を調整したりすることとする。目標送出電圧の範囲とは、配電線Ｌ１の電圧における予め定められている電圧の範囲を示す。
【００４７】
＝＝＝動作＝＝＝
以下、図１、図７及び図８を参照して、本実施形態における制御装置の動作について説明する。図７は、本実施形態における制御装置がタップ値を推定する動作を示すフローチャートである。図８は、本実施形態における連系遮断器を制御する動作を示すフローチャートである。
【００４８】
＜タップ値の推定＞
制御装置３は、式（１）に基づいてタップ比を算出し、算出タップ比に基づいてタップ値を推定する（Ｓ１）。制御装置３は、推定タップ値が確定したか否かを判断する（Ｓ２）。  Ｓ１で推定された推定タップ値が１乃至９の何れか一つである場合、つまり、図５における確定に対応する推定タップ値である場合、制御装置３は、推定タップ値が確定したと判断する（Ｓ２のＹＥＳ）。この場合、制御装置３は、推定タップ値を示す情報を出力する。尚、例えば電気所のスケルトンの画面内の各ＳＶＲ付近に当該情報を表示することとしてもよい。又、例えば制御装置３の表示装置３４に当該情報を表示することとしてもよい。
【００４９】
Ｓ１で推定された推定タップ値が１乃至９の何れか一つでない場合、つまり、図５における未確定に対応する推定タップ値である場合、制御装置３は、推定タップ値が未確定である判断する（Ｓ２のＮＯ）。この場合、制御装置３は、ＳＶＲ２１のタップ値を変化させたり、発電装置Ｇ１から出力される無効電力を調整したりする（Ｓ３）。この後、制御装置３は、Ｓ１の動作及びＳ２の判断を再度行う。
【００５０】
＜連系遮断器の制御＞
制御装置３によって確定したＳＶＲ２１、２２夫々の推定タップ値が同一から否かの判断を行う（Ｓ１２）。ＳＶＲ２１、２２夫々の推定タップ値が同一である場合（Ｓ１２のＹＥＳ）、連系遮断器ＳＷ１を閉じる（Ｓ１６）。このとき、ＳＶＲ２１、２２夫々の二次側が連系遮断器ＳＷ１を介して接続されることになる。この後、連系遮断器ＳＷ１を開いていた（Ｓ１７）後、ＳＶＲ２１、２２を自動制御にする（Ｓ１８）。
【００５１】
Ｓ１２の判断においてＳＶＲ２１、２２夫々の推定タップ値が同一でない場合（Ｓ１２のＮＯ）、目標送出電圧を確認する（Ｓ１３）。この後、Ｓ１３の確認結果に基づいて、タップ値の変更対象となるＳＶＲを選択する（Ｓ１４）。ＳＶＲ２１、２２のタップ値をマニュアル制御により、同一のタップ値にした（Ｓ１５）後、Ｓ１６を行う。
【００５２】
前述したように、制御装置３は、記憶装置３３、タップ値判断部３７を有する。記憶装置３３には、タップ比情報Ｄ１が記憶されている。タップ比情報Ｄ１には、ＳＶＲ２１における、複数のタップ値（１乃至９）のうちの一のタップ値と対応付けられているＳＶＲ２１の第１範囲（例えばタップ比が０．９９２から１．００８）を示す第１情報、及び、複数のタップ値（１乃至９）のうちの一のタップ値と対応付けられていないＳＶＲ２１の第２範囲（例えばタップ比が１．００９から１．０１３）を示す第２情報が含まれている。タップ値判断部３７は、測定装置Ｍ１によって測定されたＳＶＲ２１の一次側の電圧と、測定装置Ｍ２によって測定されたＳＶＲ２１の二次側の電圧と、前述の第１及び第２情報とに基づいて、ＳＶＲ２１のタップ値を推定する。よって、ＳＶＲ２１のタップ値を推定することが可能な制御装置３を提供することができる。又、例えば、連系遮断器ＳＷ１を制御する際のＳＶＲ２１、２２のタップ値の目視による確認が不要となるので、連系遮断器ＳＷ１を制御する作業を行う作業時間を短縮することができる。又、ＳＶＲ２１、２２のタップ値の目視による読み違い等のヒューマンエラーが発生するのを防止することができる。又、ＳＶＲ２１、２２のタップ値の推定を行った上で連系遮断器ＳＷ１を制御することにより、例えば、前述の循環電流が発生するのを防止することができる。又、制御装置３によって推定されたＳＶＲ２１、２２のタップ値に基づいて、ＳＶＲ２１、２２のタップ値を所定のタップ値に変更する際の制御精度を向上させることができる。
【００５３】
尚、上記実施形態は、本発明の理解を容易にするためのものであり、本発明を限定して解釈するためのものではない。本発明は、その趣旨を逸脱することなく、変更、改良され得るとともに、本発明にはその等価物も含まれる。
【００５４】
尚、上記実施形態においては、タップ比情報Ｄ１の各タップ比範囲Ｔａ３が、各タップ比Ｔａ１及び中間タップ比Ｔａ２のうちの一方のみを含むように設定されることについて説明したが、これに限定されるものではない。例えば、各タップ比Ｔａ１及び中間タップ比Ｔａ２が含まれるか否かに関わらず、各タップ比範囲Ｔａ３において、第１範囲及び第２範囲が交互に設定されていれば良い。
【符号の説明】
【００５５】
３                      制御装置
２１、２２              ＳＶＲ
Ｍ１、Ｍ２、Ｍ３        測定装置
ＳＷ１                  連系遮断器
【図１】
2015136252.tif 000003
【図２】
2015136252.tif 000004
【図３】
2015136252.tif 000005
【図６】
2015136252.tif 000006
【図７】
2015136252.tif 000007
【図８】
2015136252.tif 000008
【図４】
2015136252.tif 000009
【図５】
2015136252.tif 000010